(57)【要約】本発明は、接合部材（３）によりパネルが支持部材に接合され、かつ、支持部材の背面側に回路基板が配置されたパネルモジュールを有するディスプレイ装置の解体に関する。保持体（１０）によりパネルモジュールを保持して、加熱された熱媒体（１２）中にパネルモジュールの接合部材（３）を浸漬させ、この接合部材（３）を加熱するとともに、加熱時に支持部材に伝わる熱を保持体（１０）に伝導させて放熱し、その後、パネルと支持部材を分離する。
2013057852.tif 000002
【特許請求の範囲】
【請求項１】
接合部材によりパネルが支持部材に接合され、かつ、前記支持部材の背面側に回路基板が配置されたパネルモジュールを有するディスプレイ装置の解体方法であって、
放熱材料を含む保持体により前記パネルモジュールを保持して、前記パネルモジュールの接合部材を加熱された熱媒体中に浸漬させ、
前記接合部材を加熱するとともに、加熱時に前記支持部材に伝わる熱を前記保持体に伝導させて放熱し、
その後、前記パネルと前記支持部材とを分離させる
ディスプレイ装置の解体方法。
【請求項２】
接合部材によりパネルが支持部材に接合され、かつ、前記支持部材の背面側に回路基板が配置されたパネルモジュールを有するディスプレイ装置の解体装置であって、
放熱材料を含むとともに前記パネルモジュールを保持する保持体と、
前記保持体を昇降させるための昇降手段と、
内部に熱媒体を収容した浸漬槽と、
前記浸漬槽の底部に配置し、前記熱媒体を加熱するための加熱手段と、を具備し、
前記パネルモジュールを前記保持体により保持して、前記パネルモジュールの接合部材を前記熱媒体中に浸漬させ、
前記熱媒体中で前記接合部材を加熱するとともに、加熱時に前記支持部材に伝わる熱を前記保持体に伝導させて放熱する
ディスプレイ装置の解体装置。
【発明の詳細な説明】
【技術分野】
【０００１】
本発明は、プラズマディスプレイ装置などのディスプレイ装置において、パネルを支持部材から分離するための解体方法および解体装置に関するものである。
【背景技術】
【０００２】
近年、薄型、大型化に適したディスプレイ装置として、液晶ディスプレイパネルを用いた液晶ディスプレイ装置やプラズマディスプレイパネル（以下、ＰＤＰと略記する）を用いたプラズマディスプレイ装置が大量に生産され、販売も急拡大している。【０００３】
例えば、ＰＤＰは、前面板と背面板の一対のガラス基板より構成されている。前面板には、前面ガラス基板上に表示電極、誘電体層、保護層などが形成されている。一方、背面板には、背面ガラス基板にアドレス電極、隔壁、蛍光体層などが形成されている。前面板と背面板との間に微小な放電空間が形成されるように対向配置し、前面ガラス基板と背面ガラス基板の周縁部を封着部材により封着している。また、放電空間内にはネオン（Ｎｅ）およびキセノン（Ｘｅ）などを混合して形成した放電ガスが封入されている。【０００４】
ＰＤＰの背面板の裏面には接着性の熱伝導シートまたは接着剤などの接合部材を介してシャーシ部材である金属支持板が貼り付けられている。金属支持板は、シャーシ部材としての機能と、放熱板としての機能を有する。ＰＤＰを駆動するための駆動回路を実装した回路基板を取付けるためにシャーシ部材が用いられており、ＰＤＰの駆動により発生した熱を効率的に放熱するために放熱板が用いられている。さらに、プラズマディスプレイ装置にはＰＤＰや回路基板を保護するための前面枠やバックカバーが装着されている。【０００５】
このようなプラズマディスプレイ装置などのディスプレイ装置の大量普及に伴って、製造工程で生じた不良に起因する廃棄対象のディスプレイ装置や製品寿命を迎えた廃棄対象のディスプレイ装置について、各種の材料を低コストで再利用できる形態に解体することが要求されている。【０００６】
例えば、プラズマディスプレイ装置を再利用できる形態で解体するためには、例えば、主にガラス基板からなるＰＤＰと、ＰＤＰの支持部材である金属製のシャーシ部材と、各種の電子部品が搭載されている回路基板とを分離する必要がある。【０００７】
従来、ＰＤＰと金属製のシャーシ部材とを分離する方法としては、加熱することにより接合部材の接着力を低下させて分離する方法（例えば、特許文献１、２を参照）や、接合部材を物理的手段により分離する方法（例えば、特許文献３を参照）などが知られている。
【先行技術文献】
【特許文献】
【０００８】
【特許文献１】特開２００５−１１０９２号公報
【特許文献２】特開２００５−１１６３４６号公報
【特許文献３】特開２００５−１２９３１８号公報
【発明の概要】
【０００９】
本発明のディスプレイ装置の解体方法は、接合部材によりパネルが支持部材に接合され、かつ、支持部材の背面側に回路基板が配置されたパネルモジュールを有するディスプレイ装置の解体方法に関する。パネルモジュールは放熱材料を含む保持体により保持し、パネルモジュールの接合部材を加熱された熱媒体中に浸漬させ、接合部材を加熱するとともに、加熱時に支持部材に伝わる熱を保持体に伝導させて放熱する。その後、パネルと支持部材とを分離させる。
【００１０】
また、本発明の解体装置は、接合部材によりパネルが支持部材に接合され、かつ、支持部材の背面側に回路基板が配置されたパネルモジュールを有するディスプレイ装置の解体装置に関する。パネルモジュールを保持するための放熱材料よりなる保持体と、保持体を昇降させるための昇降手段と、内部に熱媒体を収容した浸漬槽と、浸漬槽の底部に配置し、熱媒体を加熱するための加熱手段とを具備している。パネルモジュールを保持体により保持して、パネルモジュールの接合部材を熱媒体中に浸漬させ、接合部材を加熱するとともに、加熱時に支持部材に伝わる熱を保持体に伝導させて放熱する。
【図面の簡単な説明】
【００１１】
【図１】図１は本発明の一実施の形態におけるプラズマディスプレイ装置の全体構成を示す分解斜視図である。
【図２】図２は本発明の一実施の形態におけるプラズマディスプレイ装置のパネルモジュールの概略断面図である。
【図３Ａ】図３Ａは本発明の一実施の形態におけるプラズマディスプレイ装置の解体を説明するための概略断面図である。
【図３Ｂ】図３Ｂは本発明の一実施の形態におけるプラズマディスプレイ装置の解体を説明するための概略断面図である。
【図３Ｃ】図３Ｃは本発明の一実施の形態におけるプラズマディスプレイ装置の解体を説明するための概略断面図である。
【発明を実施するための形態】
【００１２】
以下、本発明の一実施の形態によるディスプレイ装置の解体方法および解体装置について、プラズマディスプレイ装置を例にとって説明する。
【００１３】
図１はプラズマディスプレイ装置の全体構成を示す分解斜視図である。
【００１４】
図１に示すように、プラズマディスプレイ装置は、パネルモジュールと、このパネルモジュールが収容される筐体を備えている。
【００１５】
パネルモジュールは、ＰＤＰ１と、シャーシ部材２と、ＰＤＰ１とシャーシ部材２とを接合する熱伝導性の接合部材３を有する。ＰＤＰ１は前面ガラス基板１ａと背面ガラス基板１ｂとを有する。シャーシ部材２はアルミニウムなどの放熱板を兼ねた金属製の支持部材である。接合部材３を介してシャーシ部材２と背面ガラス基板１ｂとが接合されている。このパネルモジュールのシャーシ部材２の背面側には、ＰＤＰ１を駆動するための回路ブロックを構成する回路基板４が配置されている。
【００１６】
筐体は、前面枠５およびバックカバー６を有する。パネルモジュールは、前面枠５とバックカバー６との間に配置され、筐体内に収容されている。また、前面枠５は開口部を有し、この開口部には、光学フィルターの役割とＰＤＰ１の保護とを兼ねて、前面カバー７が配置されている。この前面カバー７は、電磁波の不要輻射を抑制するためのガラスなどから構成されている。
【００１７】
また、シャーシ部材２において、回路基板４が配置される背面側には固定ピン２ａが設けられ、この固定ピン２ａに回路基板４が取り付けられている。
【００１８】
図２は本発明の一実施の形態におけるプラズマディスプレイ装置のパネルモジュールの概略断面図である。
【００１９】
図２に示すように、前面ガラス基板１ａと背面ガラス基板１ｂとは、その周囲が封着部材１ｃによって封着接合され、これによりＰＤＰ１が構成されている。また、背面ガラス基板１ｂの裏面側には、両面に接着性または融着性（以下、これらを総称して接合性という）を有する接合部材３が配置され、この接合部材３を介してシャーシ部材２とＰＤＰ１とを接合している。接合部材３は、ＰＤＰ１の背面ガラス基板１ｂのほぼ全面に接合されているとともに、シャーシ部材２のほぼ全面にも接合されている。
【００２０】
この接合部材３は熱伝導性シートとしての役割を備えている。接合部材３は、ＰＤＰ１からの発熱をシャーシ部材２に放熱させ、ＰＤＰ１全体の温度上昇を抑制するとともに、局所的温度上昇を抑制する。この結果、前面ガラス基板１ａや背面ガラス基板１ｂの割れを抑制でき、画像表示の画質低下を抑制できる。
【００２１】
また、接合部材３としては、アクリル系共重合体を主成分とする基材に、金属系難燃剤、発砲ウレタンなどを混練してシート状にした熱伝導性シートが用いられる。熱伝導性シートの両面は粘着性を有し、熱伝導性シートの両面を介して背面ガラス基板１ｂとシャーシ部材２とを粘着接合する。ここで、アクリル系共重合体を主成分とするシート状の接合部材３は、２００℃以上の温度になると、粘着性が低下したり粘着性がなくなったりして、結果として接合力を低下させるという特性を有する。
【００２２】
次に、本発明による解体方法および解体装置について、説明する。
【００２３】
図１に示すプラズマディスプレイ装置の解体方法においては、まず、前面枠５およびバックカバー６を分離し、その後、回路基板４が固定されたシャーシ部材２とＰＤＰ１とを分離する。ＰＤＰ１とシャーシ部材２とは接合部材３を介して接合されているので、次のように分離する。シャーシ部材２とＰＤＰ１とを接合している接合部材３を加熱することにより、接合部材３の粘着性を低下または粘着性をなくす。これにより、ＰＤＰ１とシャーシ部材２の接合力が低下するので、シャーシ部材２からＰＤＰ１を分離できる。
【００２４】
次に、ＰＤＰ１の前面ガラス基板１ａおよび背面ガラス基板１ｂを分離した後、それぞれのガラス基板上に形成されている電極、誘電体層などの構成物を除去し、ガラス基板は回収して再溶解するなどの方法により再利用する。
【００２５】
さらに、回路基板４付きのシャーシ部材２については、そのまま破砕し、金属や樹脂などの材料の種類毎に分離分別されて再利用あるいは廃棄が行われる。
【００２６】
次に、ＰＤＰ１とシャーシ部材２とを分離する解体方法について、以下、図３Ａ〜図３Ｃを用いて詳細に説明する。
【００２７】
図３Ａ〜図３Ｃは、本発明の一実施の形態におけるプラズマディスプレイ装置の解体を説明するための概略断面図である。
【００２８】
図３Ａに示すように、解体装置は、金属材料などの放熱材料からなる熱伝導弾性体１０ａと、パネルモジュールを保持するための保持体１０と、保持体１０を昇降させるための昇降手段１１と、内部に熱媒体１２を収容した浸漬槽１３と、浸漬槽１３の底部に配置し、熱媒体１２を加熱するための加熱手段１４とを有する。
【００２９】
まず、図３Ｂに示すように、シャーシ部材２に回路基板４を取り付けた状態のパネルモジュールは、保持体１０により保持されて、浸漬槽１３において、予め所定の温度に加熱された熱媒体１２中に浸漬される。パネルモジュールを熱媒体１２に浸漬する場合、ＰＤＰ１および接合部材３が熱媒体１２中に浸漬されるように、熱媒体１２の上面に対して、パネルモジュールを位置決めして浸漬を行う。浸漬後、ＰＤＰ１および接合部材３は、短時間で高温に加熱され、この加熱によって接合部材３の接合力が低下して、回路基板４付きのシャーシ部材２からＰＤＰ１が分離される。
【００３０】
このとき、加熱時にシャーシ部材２に伝わる熱は、シャーシ部材２から熱伝導弾性体１０ａを介して、保持体１０に伝導されて放熱されるため、シャーシ部材２からの輻射熱による回路基板４などへの熱負荷を低減させることができる。これにより、回路基板４をあらかじめシャーシ部材２から外す必要がなく、また、取り付けられている部品にも熱による悪影響を与えずに、後工程で適切な取り外し処理を行うことができる。なお、浸漬槽１３において、熱媒体１２を強制的に攪拌したり、パネルモジュールを揺らせるなどの動きをさせたりすることにより、加熱効果を高めることができる。
【００３１】
図３Ｃに示すように、パネルモジュールを熱媒体１２に浸漬した後、シャーシ部材２から接合部材３およびＰＤＰ１が分離される。
【００３２】
ここで、熱媒体１２としては、例えば、セラミック系粒子などを含む熱伝導粒子や、半田などの溶融金属または油や有機溶剤などの溶液を使用する。そして、これらを耐熱容器である浸漬槽１３に入れて加熱手段１４により加熱して使用する。また、加熱温度は、例えば、少なくとも接合部材３の接合力を低下させる２００℃程度以上とする。但し、加熱温度のマージンは、加熱物を浸漬した場合の熱媒体１２などの温度低下や自然冷却などを考慮して決定すればよい。
【００３３】
また、保持体１０は、熱伝導弾性体１０ａをシャーシ部材２に接触させた状態で、パネルモジュールの端部を保持する。そして、昇降手段１１により昇降動作を行い、保持体１０によって保持されたパネルモジュールを熱媒体１２に浸漬させる。
【００３４】
以上のように本実施の形態によれば、ディスプレイ装置の解体工程において、接合部材３全体を加熱された熱媒体１２に浸漬することで、均一かつ速やかに接合部材３全体を昇温させることができ、ガラス部品であるＰＤＰ１とシャーシ部材２とを短時間で分離することができる。
【００３５】
さらに、分離の際、シャーシ部材２から保持体１０を介して熱が放熱されるので、シャーシ部材２からの輻射熱による回路基板４などへの熱負荷を低減させることができる。よって、回路基板４を予めシャーシ部材２から外す必要がなく、また、回路基板４に取り付けられている部品に与える熱による悪影響も少なくすることができる。
【００３６】
これにより、大画面、大型のディスプレイ装置であっても、短時間にパネルとシャーシ部材とを分離し、効率的なディスプレイ装置の解体を実現することができる。
【産業上の利用可能性】
【００３７】
本発明は、大画面、大型のディスプレイ装置のリサイクルを促進する上で有用である。
【符号の説明】
【００３８】
１    ＰＤＰ
２    シャーシ部材
３    接合部材
４    回路基板
１０    保持体
１１    昇降手段
１２    熱媒体
１３    浸漬槽
１４    加熱手段
【図１】
2013057852.tif 000003
【図２】
2013057852.tif 000004
【図３Ａ】
2013057852.tif 000005
【図３Ｂ】
2013057852.tif 000006
【図３Ｃ】
2013057852.tif 000007
【手続補正書】
【提出日】平成25年3月6日(2013.3.6)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイ装置などのディスプレイ装置において、パネルを支持部材から分離するための解体方法および解体装置に関するものである。
【背景技術】
【０００２】
近年、薄型、大型化に適したディスプレイ装置として、液晶ディスプレイパネルを用いた液晶ディスプレイ装置やプラズマディスプレイパネル（以下、ＰＤＰと略記する）を用いたプラズマディスプレイ装置が大量に生産され、販売も急拡大している。
【０００３】
例えば、ＰＤＰは、前面板と背面板の一対のガラス基板より構成されている。前面板には、前面ガラス基板上に表示電極、誘電体層、保護層などが形成されている。一方、背面板には、背面ガラス基板にアドレス電極、隔壁、蛍光体層などが形成されている。前面板と背面板との間に微小な放電空間が形成されるように対向配置し、前面ガラス基板と背面ガラス基板の周縁部を封着部材により封着している。また、放電空間内にはネオン（Ｎｅ）およびキセノン（Ｘｅ）などを混合して形成した放電ガスが封入されている。
【０００４】
ＰＤＰの背面板の裏面には接着性の熱伝導シートまたは接着剤などの接合部材を介してシャーシ部材である金属支持板が貼り付けられている。金属支持板は、シャーシ部材としての機能と、放熱板としての機能を有する。ＰＤＰを駆動するための駆動回路を実装した回路基板を取付けるためにシャーシ部材が用いられており、ＰＤＰの駆動により発生した熱を効率的に放熱するために放熱板が用いられている。さらに、プラズマディスプレイ装置にはＰＤＰや回路基板を保護するための前面枠やバックカバーが装着されている。
【０００５】
このようなプラズマディスプレイ装置などのディスプレイ装置の大量普及に伴って、製造工程で生じた不良に起因する廃棄対象のディスプレイ装置や製品寿命を迎えた廃棄対象のディスプレイ装置について、各種の材料を低コストで再利用できる形態に解体することが要求されている。
【０００６】
例えば、プラズマディスプレイ装置を再利用できる形態で解体するためには、例えば、主にガラス基板からなるＰＤＰと、ＰＤＰの支持部材である金属製のシャーシ部材と、各種の電子部品が搭載されている回路基板とを分離する必要がある。
【０００７】
従来、ＰＤＰと金属製のシャーシ部材とを分離する方法としては、加熱することにより接合部材の接着力を低下させて分離する方法（例えば、特許文献１、２を参照）や、接合部材を物理的手段により分離する方法（例えば、特許文献３を参照）などが知られている。
【先行技術文献】
【特許文献】
【０００８】
【特許文献１】特開２００５−１１０９２号公報
【特許文献２】特開２００５−１１６３４６号公報
【特許文献３】特開２００５−１２９３１８号公報
【発明の概要】
【０００９】
本発明のディスプレイ装置の解体方法は、接合部材によりパネルが支持部材に接合され、かつ、支持部材の背面側に回路基板が配置されたパネルモジュールを有するディスプレイ装置の解体方法に関する。パネルモジュールは放熱材料を含む保持体により保持し、パネルモジュールの接合部材を加熱された熱媒体中に浸漬させ、接合部材を加熱するとともに、加熱時に支持部材に伝わる熱を保持体に伝導させて放熱する。その後、パネルと支持部材とを分離させる。
【００１０】
また、本発明の解体装置は、接合部材によりパネルが支持部材に接合され、かつ、支持部材の背面側に回路基板が配置されたパネルモジュールを有するディスプレイ装置の解体装置に関する。パネルモジュールを保持するための放熱材料よりなる保持体と、保持体を昇降させるための昇降手段と、内部に熱媒体を収容した浸漬槽と、浸漬槽の底部に配置し、熱媒体を加熱するための加熱手段とを具備している。パネルモジュールを保持体により保持して、パネルモジュールの接合部材を熱媒体中に浸漬させ、接合部材を加熱するとともに、加熱時に支持部材に伝わる熱を保持体に伝導させて放熱する。
【図面の簡単な説明】
【００１１】
【図１】図１は本発明の一実施の形態におけるプラズマディスプレイ装置の全体構成を示す分解斜視図である。
【図２】図２は本発明の一実施の形態におけるプラズマディスプレイ装置のパネルモジュールの概略断面図である。
【図３Ａ】図３Ａは本発明の一実施の形態におけるプラズマディスプレイ装置の解体を説明するための概略断面図である。
【図３Ｂ】図３Ｂは本発明の一実施の形態におけるプラズマディスプレイ装置の解体を説明するための概略断面図である。
【図３Ｃ】図３Ｃは本発明の一実施の形態におけるプラズマディスプレイ装置の解体を説明するための概略断面図である。
【発明を実施するための形態】
【００１２】
以下、本発明の一実施の形態によるディスプレイ装置の解体方法および解体装置について、プラズマディスプレイ装置を例にとって説明する。
【００１３】
図１はプラズマディスプレイ装置の全体構成を示す分解斜視図である。
【００１４】
図１に示すように、プラズマディスプレイ装置は、パネルモジュールと、このパネルモジュールが収容される筐体を備えている。
【００１５】
パネルモジュールは、ＰＤＰ１と、シャーシ部材２と、ＰＤＰ１とシャーシ部材２とを接合する熱伝導性の接合部材３を有する。ＰＤＰ１は前面ガラス基板１ａと背面ガラス基板１ｂとを有する。シャーシ部材２はアルミニウムなどの放熱板を兼ねた金属製の支持部材である。接合部材３を介してシャーシ部材２と背面ガラス基板１ｂとが接合されている。このパネルモジュールのシャーシ部材２の背面側には、ＰＤＰ１を駆動するための回路ブロックを構成する回路基板４が配置されている。
【００１６】
筐体は、前面枠５およびバックカバー６を有する。パネルモジュールは、前面枠５とバックカバー６との間に配置され、筐体内に収容されている。また、前面枠５は開口部を有し、この開口部には、光学フィルターの役割とＰＤＰ１の保護とを兼ねて、前面カバー７が配置されている。この前面カバー７は、電磁波の不要輻射を抑制するためのガラスなどから構成されている。
【００１７】
また、シャーシ部材２において、回路基板４が配置される背面側には固定ピン２ａが設けられ、この固定ピン２ａに回路基板４が取り付けられている。
【００１８】
図２は本発明の一実施の形態におけるプラズマディスプレイ装置のパネルモジュールの概略断面図である。
【００１９】
図２に示すように、前面ガラス基板１ａと背面ガラス基板１ｂとは、その周囲が封着部材１ｃによって封着接合され、これによりＰＤＰ１が構成されている。また、背面ガラス基板１ｂの裏面側には、両面に接着性または融着性（以下、これらを総称して接合性という）を有する接合部材３が配置され、この接合部材３を介してシャーシ部材２とＰＤＰ１とを接合している。接合部材３は、ＰＤＰ１の背面ガラス基板１ｂのほぼ全面に接合されているとともに、シャーシ部材２のほぼ全面にも接合されている。
【００２０】
この接合部材３は熱伝導性シートとしての役割を備えている。接合部材３は、ＰＤＰ１からの発熱をシャーシ部材２に放熱させ、ＰＤＰ１全体の温度上昇を抑制するとともに、局所的温度上昇を抑制する。この結果、前面ガラス基板１ａや背面ガラス基板１ｂの割れを抑制でき、画像表示の画質低下を抑制できる。
【００２１】
また、接合部材３としては、アクリル系共重合体を主成分とする基材に、金属系難燃剤、発砲ウレタンなどを混練してシート状にした熱伝導性シートが用いられる。熱伝導性シートの両面は粘着性を有し、熱伝導性シートの両面を介して背面ガラス基板１ｂとシャーシ部材２とを粘着接合する。ここで、アクリル系共重合体を主成分とするシート状の接合部材３は、２００℃以上の温度になると、粘着性が低下したり粘着性がなくなったりして、結果として接合力を低下させるという特性を有する。
【００２２】
次に、本発明による解体方法および解体装置について、説明する。
【００２３】
図１に示すプラズマディスプレイ装置の解体方法においては、まず、前面枠５およびバックカバー６を分離し、その後、回路基板４が固定されたシャーシ部材２とＰＤＰ１とを分離する。ＰＤＰ１とシャーシ部材２とは接合部材３を介して接合されているので、次のように分離する。シャーシ部材２とＰＤＰ１とを接合している接合部材３を加熱することにより、接合部材３の粘着性を低下または粘着性をなくす。これにより、ＰＤＰ１とシャーシ部材２の接合力が低下するので、シャーシ部材２からＰＤＰ１を分離できる。
【００２４】
次に、ＰＤＰ１の前面ガラス基板１ａおよび背面ガラス基板１ｂを分離した後、それぞれのガラス基板上に形成されている電極、誘電体層などの構成物を除去し、ガラス基板は回収して再溶解するなどの方法により再利用する。
【００２５】
さらに、回路基板４付きのシャーシ部材２については、そのまま破砕し、金属や樹脂などの材料の種類毎に分離分別されて再利用あるいは廃棄が行われる。
【００２６】
次に、ＰＤＰ１とシャーシ部材２とを分離する解体方法について、以下、図３Ａ〜図３Ｃを用いて詳細に説明する。
【００２７】
図３Ａ〜図３Ｃは、本発明の一実施の形態におけるプラズマディスプレイ装置の解体を説明するための概略断面図である。
【００２８】
図３Ａに示すように、解体装置は、金属材料などの放熱材料からなる熱伝導弾性体１０ａと、パネルモジュールを保持するための保持体１０と、保持体１０を昇降させるための昇降手段１１と、内部に熱媒体１２を収容した浸漬槽１３と、浸漬槽１３の底部に配置し、熱媒体１２を加熱するための加熱手段１４とを有する。
【００２９】
まず、図３Ｂに示すように、シャーシ部材２に回路基板４を取り付けた状態のパネルモジュールは、保持体１０により保持されて、浸漬槽１３において、予め所定の温度に加熱された熱媒体１２中に浸漬される。パネルモジュールを熱媒体１２に浸漬する場合、ＰＤＰ１および接合部材３が熱媒体１２中に浸漬されるように、熱媒体１２の上面に対して、パネルモジュールを位置決めして浸漬を行う。浸漬後、ＰＤＰ１および接合部材３は、短時間で高温に加熱され、この加熱によって接合部材３の接合力が低下して、回路基板４付きのシャーシ部材２からＰＤＰ１が分離される。
【００３０】
このとき、加熱時にシャーシ部材２に伝わる熱は、シャーシ部材２から熱伝導弾性体１０ａを介して、保持体１０に伝導されて放熱されるため、シャーシ部材２からの輻射熱による回路基板４などへの熱負荷を低減させることができる。これにより、回路基板４をあらかじめシャーシ部材２から外す必要がなく、また、取り付けられている部品にも熱による悪影響を与えずに、後工程で適切な取り外し処理を行うことができる。なお、浸漬槽１３において、熱媒体１２を強制的に攪拌したり、パネルモジュールを揺らせるなどの動きをさせたりすることにより、加熱効果を高めることができる。
【００３１】
図３Ｃに示すように、パネルモジュールを熱媒体１２に浸漬した後、シャーシ部材２から接合部材３およびＰＤＰ１が分離される。
【００３２】
ここで、熱媒体１２としては、例えば、セラミック系粒子などを含む熱伝導粒子や、半田などの溶融金属または油や有機溶剤などの溶液を使用する。そして、これらを耐熱容器である浸漬槽１３に入れて加熱手段１４により加熱して使用する。また、加熱温度は、例えば、少なくとも接合部材３の接合力を低下させる２００℃程度以上とする。但し、加熱温度のマージンは、加熱物を浸漬した場合の熱媒体１２などの温度低下や自然冷却などを考慮して決定すればよい。
【００３３】
また、保持体１０は、熱伝導弾性体１０ａをシャーシ部材２に接触させた状態で、パネルモジュールの端部を保持する。そして、昇降手段１１により昇降動作を行い、保持体１０によって保持されたパネルモジュールを熱媒体１２に浸漬させる。
【００３４】
以上のように本実施の形態によれば、ディスプレイ装置の解体工程において、接合部材３全体を加熱された熱媒体１２に浸漬することで、均一かつ速やかに接合部材３全体を昇温させることができ、ガラス部品であるＰＤＰ１とシャーシ部材２とを短時間で分離することができる。
【００３５】
さらに、分離の際、シャーシ部材２から保持体１０を介して熱が放熱されるので、シャーシ部材２からの輻射熱による回路基板４などへの熱負荷を低減させることができる。よって、回路基板４を予めシャーシ部材２から外す必要がなく、また、回路基板４に取り付けられている部品に与える熱による悪影響も少なくすることができる。
【００３６】
これにより、大画面、大型のディスプレイ装置であっても、短時間にパネルとシャーシ部材とを分離し、効率的なディスプレイ装置の解体を実現することができる。
【産業上の利用可能性】
【００３７】
本発明は、大画面、大型のディスプレイ装置のリサイクルを促進する上で有用である。
【符号の説明】
【００３８】
１  ＰＤＰ
２  シャーシ部材
３  接合部材
４  回路基板
１０  保持体
１１  昇降手段
１２  熱媒体
１３  浸漬槽
１４  加熱手段
【手続補正２】
【補正対象書類名】特許請求の範囲
【補正対象項目名】全文
【補正方法】変更
【補正の内容】
【特許請求の範囲】
【請求項１】
接合部材によりパネルが支持部材に接合され、かつ、前記支持部材の背面側に回路基板が配置されたパネルモジュールを有するディスプレイ装置の解体方法であって、
放熱材料を含む保持体により前記パネルモジュールを保持して、前記パネルモジュールの接合部材を加熱された熱媒体中に浸漬させ、
前記接合部材を加熱するとともに、加熱時に前記支持部材に伝わる熱を前記保持体に伝導させて放熱し、
その後、前記パネルと前記支持部材とを分離させる
ディスプレイ装置の解体方法。
【請求項２】
接合部材によりパネルが支持部材に接合され、かつ、前記支持部材の背面側に回路基板が配置されたパネルモジュールを有するディスプレイ装置の解体装置であって、
放熱材料を含むとともに前記パネルモジュールを保持する保持体と、
前記保持体を昇降させるための昇降手段と、
内部に熱媒体を収容した浸漬槽と、
前記浸漬槽の底部に配置し、前記熱媒体を加熱するための加熱手段と、を具備し、
前記パネルモジュールを前記保持体により保持して、前記パネルモジュールの接合部材を前記熱媒体中に浸漬させ、
前記熱媒体中で前記接合部材を加熱するとともに、加熱時に前記支持部材に伝わる熱を前記保持体に伝導させて放熱する
ディスプレイ装置の解体装置。
【手続補正３】
【補正対象書類名】図面
【補正対象項目名】全図
【補正方法】変更
【補正の内容】
【図１】
2013057852.tif 000008
【図２】
2013057852.tif 000009
【図３Ａ】
2013057852.tif 000010
【図３Ｂ】
2013057852.tif 000011
【図３Ｃ】
2013057852.tif 000012
【国際調査報告】
2013057852.tif 000013
2013057852.tif 000014
2013057852.tif 000015
2013057852.tif 000016